(57)【要約】【課題】製造工程が分散している場合でも、不揮発性メモリの検証時間を短縮するとともに、不良品を検出する確実性を向上させた火災感知器へのデータ書き込み制御方法を提供する。【解決手段】火災感知器へのデータ書き込み制御方法は、製造工程Ａ、Ｂ、Ｃごとに割り当てられた不揮発性メモリ５０上の専用領域に、工程内のデータであるソースデータを書き込む書き込み処理と、書き込み処理の後に、検証する検証処理とを有する。検証処理では、不揮発性メモリ５０の専用領域からデータが読み出され、読み出したデータとソースデータとが一致するか否かが検証される。【選択図】図３
2019008633.tif 000002
【特許請求の範囲】
【請求項１】
火災感知器の各製造工程において不揮発性メモリにデータを書き込む火災感知器へのデータ書き込み制御方法において、
前記製造工程ごとに割り当てられた前記不揮発性メモリ上の専用領域に、工程内のデータであるソースデータを書き込む書き込み処理と、
前記書き込み処理の後に、前記不揮発性メモリの前記専用領域からデータを読み出し、読み出したデータとソースデータとが一致するか否かを検証する検証処理と、
を有する火災感知器へのデータ書き込み制御方法。
【請求項２】
前記検証処理は、検証のために検証データを生成し、前記製造工程ごとに割り当てられた前記不揮発性メモリ上の検証領域に書き込むものであり、
前記検証領域に書き込まれた全ての前記製造工程の前記検証データに基づき、前記不揮発性メモリ全体の良否を判定する処理と、
を更に有する請求項１に記載の火災感知器へのデータ書き込み制御方法。
【発明の詳細な説明】
【技術分野】
【０００１】
本発明は、不揮発性メモリが内蔵された火災感知器へのデータ書き込み制御方法に関する。
【背景技術】
【０００２】
従来、火災感知器には、火災を感知するための発光素子及び受光素子が設けられている。発光素子には個体間に光強度のばらつきがあり、受光素子には個体間に感度のばらつきがある。このため、火災感知器に内蔵される不揮発性メモリには、例えば感度のばらつきを補正するための情報等が書き込まれる。よって、個別情報も火災感知器ごとに異なる。
【０００３】
不揮発性メモリに書き込まれたデータは、正しく書き込まれたことを検証するために一旦読み出され、データ記憶部に一時的に保持されているソースデータと比較される。しかしながら、データを読み出してソースデータと比較するためには、１データあたり１ｍｓ程度の時間がかかり、全てのデータをそれぞれ検証する場合には更にデータ数の分だけ時間が必要となる。
【０００４】
ところで、複数のデータの検証を一度に行う方法として、サム値を比較する方法が知られている（例えば、特許文献１）。特許文献１には、プリンタで所定のイベントが生じた場合に不揮発性メモリ上の特定領域のデータが更新され、更新された領域のデータとソースデータとのそれぞれについてサム値を算出して比較する技術が開示されている。
【先行技術文献】
【特許文献】
【０００５】
【特許文献１】特許第３８２６６１７号公報
【発明の概要】
【発明が解決しようとする課題】
【０００６】
火災感知器の製造工程においても、検証時間を短縮するため、特許文献１のように、書き込んだ全てのデータのサム値を算出してソースデータのサム値と比較することも考えられる。しかしながら、上述したように火災感知器を製造する異なる工程は、異なる場所（例えば、複数の工場等）で行われる場合もあり、最初の工程で書き込まれたデータのソースデータのサム値が、次の工程では保持されない場合がある。そのため、製造の段階によっては、火災感知器の不揮発性メモリに書き込まれた全てのデータをサム値によって検証することができない場合がある。
【０００７】
本発明は、上記のような課題を解決するためになされたものであり、各製造工程が異なる場所で行われる場合でも、不揮発性メモリの検証時間を短縮し、不良品を検出する確実性を向上させた火災感知器へのデータ書き込み制御方法を提供することを目的としている。
【課題を解決するための手段】
【０００８】
本発明の火災感知器へのデータ書き込み制御方法は、火災感知器の各製造工程において不揮発性メモリにデータを書き込む火災感知器へのデータ書き込み制御方法において、前記製造工程ごとに割り当てられた前記不揮発性メモリ上の専用領域に、工程内のデータであるソースデータを書き込む書き込み処理と、前記書き込み処理の後に、前記不揮発性メモリの前記専用領域からデータを読み出し、読み出したデータとソースデータとが一致するか否かを検証する検証処理と、を有する。
【０００９】
また、前記検証処理は、検証のために検証データを生成し、前記製造工程ごとに割り当てられた前記不揮発性メモリ上の検証領域に書き込むものである。また、火災感知器へのデータ書き込み制御方法は更に、前記検証領域に書き込まれた全ての工程の前記検証データに基づき、前記不揮発性メモリ全体の良否を判定する処理を有する。
【発明の効果】
【００１０】
本発明によれば、工程ごとにデータ書き込みの検証が行われるため、火災感知器の製造工程が複数ある場合でも、不揮発性メモリの検証時間を短縮するとともに不良品を検出する確実性を向上させることができる。
【図面の簡単な説明】
【００１１】
【図１】実施の形態１に係る書き込み制御装置の機能を示すブロック図である。
【図２】実施の形態１に係る不揮発性メモリのデータを示す説明図である。
【図３】実施の形態１に係る書き込み制御装置が行う制御を示すフローチャートである。
【図４】実施の形態１に係る書き込み制御装置が最終工程後に行う制御を示すフローチャートである。
【発明を実施するための形態】
【００１２】
実施の形態１．
図１は、実施の形態１に係る書き込み制御装置の機能を示すブロック図である。図１に基づき、複数の書き込み制御装置１００Ａ、１００Ｂ、１００Ｃについて説明する。各書き込み制御装置１００Ａ、１００Ｂ、１００Ｃは、火災感知器５００に内蔵される不揮発性メモリ５０に複数の個別情報を書き込むものである。火災感知器５００はマイクロコンピュータ等で構成されており、不揮発性メモリ５０に記憶された個別情報に基づいて火災を検知する。個別情報とは、例えば、火災感知器５００のアドレス、種別、感度、火災閾値（火災と判断される火災感知器５００の出力レベルの閾値）及び故障閾値（故障と判断される火災感知器５００の出力レベルの閾値）等である。以下、個別情報として識別情報、基板情報及び設定情報が含まれる場合を例に説明する。
【００１３】
火災感知器５００の製造工程には、場所ＰＡで実施される工程Ａと、場所ＰＢで実施される工程Ｂと、場所ＰＣで実施される工程Ｃとが含まれる。場所ＰＡには、工程Ａを管理する工程管理装置２００Ａと、工程管理装置２００Ａに信号線等で接続された書き込み制御装置１００Ａとが設置されている。同様に、場所ＰＢには、工程Ｂを管理する工程管理装置２００Ｂと、書き込み制御装置１００Ｂとが設置されており、場所ＰＣには、工程Ｃを管理する工程管理装置２００Ｃと、書き込み制御装置１００Ｃとが設置されている。
【００１４】
各書き込み制御装置１００Ａ、１００Ｂ、１００Ｃは、インターフェース１０と、ＣＰＵ２０（中央処理装置）と、データ記憶部３０と、表示部４０等とを有している。各書き込み制御装置１００Ａ、１００Ｂ、１００Ｃは、同じ場所に設置された工程管理装置２００Ａ、工程管理装置２００Ｂ又は工程管理装置２００Ｃから個別情報等を受信する。各書き込み制御装置１００Ａ、１００Ｂ、１００Ｃにおいてデータの送受信は、インターフェース１０を介して行われる。インターフェース１０を介して入力されたデータは、例えばＨＤＤ（Ｈａｒｄ  Ｄｉｓｋ  Ｄｒｉｖｅ）又はＳＤＤ（Ｓｏｌｉｄ  Ｓｔａｔｅ  Ｄｒｉｖｅ）等で構成されるデータ記憶部３０に保持される。データ記憶部３０に保持されたデータは、ＣＰＵ２０によって各処理に使用される。また、ＣＰＵ２０により実施されている処理の状況あるいは結果が、表示部４０を介して作業者に通知される。
【００１５】
ＣＰＵ２０は、主制御部２１と、書き込み部２２と、検証部２３とにより構成される。主制御部２１は、インターフェース１０を介して入力されたデータをデータ記憶部３０に一時的に保持させ、必要に応じてデータ記憶部３０にアクセスする。主制御部２１は、書き込み部２２に、不揮発性メモリ５０へ書き込みを行うよう指令を出力し、検証部２３に、書き込み処理の検証を行うよう指令を出力する。また主制御部２１は、各処理が正常に行われたか否かを示す情報等を表示部４０に出力する。
【００１６】
書き込み部２２は、主制御部２１からの指令に基づき、データ記憶部３０に保持されている個別情報のデータ（以下、ソースデータという）を、不揮発性メモリ５０に書き込む。また、書き込み部２２には検証部２３から検証データが入力され、書き込み部２２は、入力された検証データを不揮発性メモリ５０に書き込む。不揮発性メモリ５０上の記憶領域において、各データが書き込まれる領域は予め設定されており、書き込み部２２は、予め設定された領域に個別情報及び検証データを書き込む。書き込み部２２は、書き込み処理が終了すると、書き込み処理が終了した旨を主制御部２１に通知する。
【００１７】
検証部２３は、主制御部２１からの指令に基づき、不揮発性メモリ５０に書き込まれている個別情報のデータの検証を行い、検証結果を主制御部２１に出力する。具体的には、検証部２３は、書き込まれている複数の個別情報のデータを読み出して、書き込み前のソースデータと一致するか否かを検証する。検証方法としては、チェックサム等の誤り検出符号が採用されている。検証部２３は、ソースデータ及び読み出したデータのそれぞれについてサム値を算出し、書き込まれた複数のデータを一度に検証する。検証部２３は、検証においてソースデータのサム値と読み出したデータのサム値とが一致する場合には、書き込みが正常に行われた旨を主制御部２１に通知するとともに、検証で生成したサム値を検証データとして書き込み部２２に出力する。一方、検証部２３は、ソースデータのサム値と読み込んだデータのサム値とが一致しない場合には、書き込みが正常におこなわれていない旨を主制御部２１に通知する。
【００１８】
不揮発性メモリ５０は、例えばＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）で構成されている。なお、不揮発性メモリ５０は、ＥＥＰＲＯＭ以外のＲＯＭ（Ｒｅａｄ  Ｏｎｌｙ  Ｍｅｍｏｒｙ）あるいはフラッシュメモリで構成されてもよい。
【００１９】
図２は、実施の形態１に係る不揮発性メモリの記憶領域の一例を示す説明図である。図２に基づき、火災感知器５００の各製造工程で生じる個別情報と、個別情報が書き込まれる記憶領域について説明する。
【００２０】
工程Ａでは、工程管理装置２００Ａから、第１識別情報のデータＡ１及び第２識別情報のデータＡ２等の識別情報が送信され、工程Ｂでは、工程管理装置２００Ｂから、第１基板情報のデータＢ１及び第２基板情報のデータＢ２等の種別情報が送信される。また、工程Ｃでは、工程管理装置２００Ｃから、第１設定情報のデータＣ１及び第２設定情報のデータＣ２等の設定情報が送信される。
【００２１】
各書き込み制御装置１００Ａ、１００Ｂ、１００Ｃは、火災感知器５００について一つの工程内の個別情報を受信すると、各データ記憶部３０に保持し、火災感知器５００の不揮発性メモリ５０に書き込む。各データ記憶部３０は、受信されたデータを一時的に保持しており、同一の火災感知器５００に対して工程Ｂ又は工程Ｃが実施されるとき、工程Ａのソースデータは保持されていない。また、ソースデータが記憶される場合であっても、ここでは、書き込み制御装置１００Ｂ及び書き込み制御装置１００Ｃは、異なる場所ＰＡに設置されている書き込み制御装置１００Ａのデータ記憶部３０を参照しないものとする。
【００２２】
図２に示されるように、不揮発性メモリ５０の記憶領域は、分割されて工程ごとの専用区分とされている。具体的には、工程Ａの識別情報は記憶領域の１〜７番地に書き込まれ、工程Ｂの基板情報は８〜２４番地に書き込まれ、工程Ｃの設定情報は２５〜５２番地に書き込まれることになる。
【００２３】
また、不揮発性メモリ５０の記憶領域のうち、６１〜６３番地は、検証領域として設定されている。検証領域は、上述した検証部２３の検証結果によって書き込み部２２が検証データを書き込むための領域である。図２では、６１番地には工程Ａの識別情報のサム値Ａｓｕｍが書き込まれ、６２番地には工程Ｂの基板情報のサム値Ｂｓｕｍが書き込まれ、６３番地には工程Ｃの設定情報のサム値Ｃｓｕｍが書き込まれることになる。
【００２４】
図３は、実施の形態１に係る書き込み制御装置が行う制御を示すフローチャートである。図３に基づき、火災感知器５００の製造工程において各書き込み制御装置１００Ａ、１００Ｂ、１００Ｃにより実施される処理について説明する。以下、書き込み制御装置１００Ａ、書き込み制御装置１００Ｂ及び書き込み制御装置１００Ｃを特に区別しない場合に、書き込み制御装置１００という場合がある。また、工程管理装置２００Ａ、工程管理装置２００Ｂ及び工程管理装置２００Ｃを特に区別しない場合に、工程管理装置２００という場合がある。
【００２５】
書き込み制御装置１００が、同じ場所に設置された工程管理装置２００から、一つの工程で生じた複数の個別情報のデータ（例えば、データＡ１及びデータＡ２）を受信すると（ステップＳＴ１０１）、受信した複数のデータは、データ記憶部３０に保持される。このとき、主制御部２１は、受信した複数のデータが最初の工程（ここでは工程Ａ）で生じたものであるか否かを判定する（ステップＳＴ１０２）。主制御部２１は、受信した複数のデータが工程Ａの識別情報のデータである場合（ステップＳＴ１０２；ＹＥＳ）、工程Ａの識別情報を書き込むための書き込み指令を、書き込み部２２に送る。書き込み部２２は、書き込み指令を受け取ると、データ記憶部３０に保持されている複数のデータを、不揮発性メモリ５０上の該当する工程の専用領域（例えば、１〜７番地）に書き込む（ステップＳＴ１０４）。複数のデータの書き込みが終了すると、書き込み部２２は、終了した旨を主制御部２１に通知する。
【００２６】
主制御部２１は、書き込み部２２の書き込み処理が終了すると、工程（例えば、工程Ａ）内の個別情報（例えば、識別情報）の複数のデータ（例えば、データＡ１及びデータＡ２）が正しく書き込まれたか否かを検証する検証指令を、検証部２３に送る。検証部２３は、検証指令を受け取ると、データ記憶部３０に保持されている複数のデータのサム値（例えば、サム値Ａｓｕｍ）を計算する（ステップＳＴ１０５）。また検証部２３は、不揮発性メモリ５０の専用領域（例えば、１〜７番地）に書き込まれている複数のデータを読み出し、読み出したデータのサム値を計算する（ステップＳＴ１０６）。次に、検証部２３は、ソースデータのサム値（例えば、サム値Ａｓｕｍ）と読み出したデータのサム値とを比較し、一致するか否かを判定する（ステップＳＴ１０７）。
【００２７】
そして、ソースデータのサム値と読み出したデータのサム値とが一致する場合（ステップＳＴ１０７；ＹＥＳ）、検証部２３は、書き込みが正常に行われた旨の検証結果を主制御部２１に送り、書き込み部２２にソースデータのサム値を送る。書き込み部２２は、検証部２３からサム値（例えば、サム値Ａｓｕｍ）を受け取ると、不揮発性メモリ５０上の該当する工程の検証領域（例えば、６１番地）に、受け取ったサム値を書き込む（ステップＳＴ１０８）。主制御部２１は、書き込みが正常に行われた旨の検証結果を受け取ると、受け取った検証結果を表示部４０に出力する（ステップＳＴ１０９）。
【００２８】
一方、ステップＳＴ１０７においてソースデータのサム値と読み出したデータのサム値とが一致しない場合（ステップＳＴ１０７；ＮＯ）、検証部２３は、書き込みが正常に行われなかった旨の検証結果を主制御部２１に送る。主制御部２１は、書き込みが正常に行われなかった旨の検証結果を受け取ると、受け取った検証結果を表示部４０に出力する（ステップＳＴ１１０）。
【００２９】
ステップＳＴ１０２において、受信したデータが最初の工程（工程Ａ）の識別情報ではない場合（ステップＳＴ１０２；ＮＯ）、主制御部２１は、検証部２３に指令し、前工程のサム値が書き込まれているか否かを判定させる（ステップＳＴ１０３）。具体的には、書き込み制御装置１００Ｂが、工程Ｂで生じた複数の基板情報のデータ（例えば、データＢ１及びデータＢ２）を受信したときに、工程Ａのサム値Ａｓｕｍが書き込まれているか否かが判定される。また、書き込み制御装置１００Ｃが、工程Ｃの複数の設定情報のデータ（例えば、データＣ１及びデータＣ２）を受信したときに、工程Ｂのサム値Ｂｓｕｍが書き込まれているか否かが判定される。そして、前工程のサム値が書き込まれている場合には（ステップＳＴ１０３；ＹＥＳ）、受信した複数のデータに相当する工程（工程Ｂ又は工程Ｃ）について、上述したステップＳＴ１０４〜ステップＳＴ１１０が実施される。具体的には、書き込み制御装置１００Ｂは、不揮発性メモリ５０上の６１番地に工程Ａのサム値Ａｓｕｍが書き込まれている場合に、受信した工程Ｂの複数のデータについても同様に書き込み処理と検証処理を実施する。また、書き込み制御装置１００Ｃは、不揮発性メモリ５０上の６２番地に工程Ｂのサム値Ｂｓｕｍが書き込まれている場合に、受信した工程Ｃの複数のデータについても同様に書き込み処理と検証処理を実施する。つまり、検証領域にデータが書き込まれていることにより、前工程のデータの書き込みが正しく行われたことが確認される。
【００３０】
一方、ステップＳＴ１０３において、前工程のサム値が書き込まれていない場合（ステップＳＴ１０３；ＮＯ）、検証部２３は、前工程の書き込みが正常に行われていない旨の検証結果を主制御部２１に送る。主制御部２１は、前工程の書き込みが正常に行われていない旨の検証結果を受け取ると、受け取った検証結果を表示部４０に出力する（ステップＳＴ１１１）。つまり、書き込み制御装置１００は、検証領域に検証データが書き込まれていないことにより、前工程のデータの書き込みが正しく行われていないことを確認でき、不良品と判断して、次の工程以降のデータについては書き込みを省略することができる。
【００３１】
なお、ステップＳＴ１０３では、前工程のサム値が書き込まれているか否かが判定されたが、書き込まれた前工程の専用領域の複数のデータを読み出してサム値を算出し、書き込まれているサム値と一致するか否かを判定してもよい。このように再検証がされる構成では、書き込み制御装置１００は、前工程では書き込みが正常に行われたが次の工程前にデータが損失したというような場合にも、不良品を検出することができる。こうして、工程Ａでデータが正しく書き込まれた火災感知器５００のみが場所ＰＢに送られて、これらの火災感知器５００に対して、工程Ｂが実施され、ステップＳＴ１０３以降の処理が繰り返される。更に、工程Ｂでデータが正しく書き込まれた火災感知器５００のみが場所ＰＣに送られて、これらの火災感知器５００に対して、工程Ｃが実施され、ステップＳＴ１０３以降の処理が繰り返される。そして、工程Ｃでデータが正しく書き込まれた火災感知器５００のみが製品として残ることになる。
【００３２】
図４は、実施の形態１に係る書き込み制御装置が最終工程（ここでは工程Ｃ）後に行う制御を示すフローチャートである。複数の書き込み制御装置１００Ａ、１００Ｂ、１００Ｃのうち書き込み制御装置１００Ｃは、更に、最終判定部を備えている。図４に示される制御は、全ての工程Ａ、Ｂ、Ｃについて個別情報の書き込みが終了した後に最終判定部により実施され、書き込みが正しく行われているか否かによって不揮発性メモリ５０全体の良否を判定するものである。なお、複数の書き込み制御装置１００Ａ、１００Ｂ、１００Ｃは同一の構成とし、書き込み制御装置１００Ｃに対してのみ、最終判定部を実行する設定がなされてもよい。
【００３３】
まず、最終判定部は、不揮発性メモリ５０の専用領域及び検証領域から、書き込まれて全てのデータを読み出し（ステップＳＴ２０１）、各工程Ａ、Ｂ、Ｃについて専用領域のサム値をそれぞれ算出する（ステップＳＴ２０２）。次に、最終判定部は、全ての工程Ａ、Ｂ、Ｃでサム値が検証領域の値と一致するか否かを判定する（ステップＳＴ２０３）。つまり、各工程Ａ、Ｂ、Ｃについて、専用領域に書き込まれたデータの再検証を行う。例えば、１〜７番地に書き込まれている複数のデータＡ１〜Ａ７を読み出してサム値を算出し、算出したサム値と、６１番地に書き込まれている工程Ａのサム値Ａｓｕｍとが一致するか否かが判定される。工程Ｂ及び工程Ｃについてもそれぞれ同様に判定が行われる。そして、全ての工程Ａ、Ｂ、Ｃにおいてサム値が検証領域の値と一致する場合に（ステップＳＴ２０３；ＹＥＳ）、最終判定部は、主制御部２１に不揮発性メモリ５０が良品である旨の判定結果を通知し、判定結果が表示部４０に出力される（ステップＳＴ２０４）。
【００３４】
一方、複数の工程Ａ、Ｂ、Ｃの一部又は全てについてサム値が検証領域の値と一致しない場合には（ステップＳＴ２０３；ＮＯ）、最終判定部は、主制御部２１に不揮発性メモリ５０が不良品である旨の判定結果を通知する。主制御部２１は、通知された判定結果を表示部４０に出力する（ステップ２０５）。上記のような最終判定を行うことにより、書き込み制御装置１００Ｃは、データ書き込み完了時に、書き込まれている全てのデータを再検証することができる。
【００３５】
以上のように、実施の形態１において、火災感知器へのデータ書き込み制御方法は、製造工程ごとに割り当てられた不揮発性メモリ５０上の専用領域に、工程内のデータであるソースデータを書き込む書き込み処理と、書き込み処理後に行う検証処理とを有している。そして、検証処理では、不揮発性メモリ５０の専用領域からデータを読み出し、読み出したデータとソースデータとが一致するか否かが検証される。
【００３６】
これにより、火災感知器へのデータ書き込み制御方法は、工程Ａ、Ｂ、Ｃごとに検証処理を行うため、火災感知器５００の製造工程が複数ある場合でも、不揮発性メモリ５０の検証時間を短縮するとともに不良品を検出する確実性を向上させることができる。
【００３７】
また、検証処理は、検証のために検証データを生成し、製造工程ごとに割り当てられた不揮発性メモリ５０上の検証領域（例えば、６１〜６３番地）に書き込むものである。そして、火災感知器へのデータ書き込み制御方法は、検証領域に書き込まれた全ての製造工程の検証データ（例えば、サム値Ａｓｕｍ、サム値Ｂｓｕｍ及びサム値Ｃｓｕｍ）に基づき、不揮発性メモリ５０全体の良否を判定する処理を行う。
【００３８】
これにより、書き込み制御装置１００Ｃは、前工程のデータの書き込みが正しく行われたか否かを、次の工程で検証領域を参照することにより容易に確認することができ、全工程でデータが正しく書き込まれた火災感知器５００のみを製品として残すことができる。
【００３９】
なお、本発明の実施の形態は上記実施の形態に限定されず、種々の変更を行うことができる。例えば、検証データとして検証領域にサム値が書き込まれる場合について説明したが、特にこれに限定されず、書き込みが正しく行われたか否かの指標となればよい。
【００４０】
また、製造工程が３工程である場合について説明したが、上述した書き込み制御方法は、２つあるいは４つ以上の工程でデータの書き込みが行われる場合にも適用できる。
【符号の説明】
【００４１】
１０  インターフェース、２０  ＣＰＵ、２１  主制御部、２２  書き込み部、２３  検証部、３０  データ記憶部、４０  表示部、５０  不揮発性メモリ、１００（１００Ａ、１００Ｂ、１００Ｃ）  書き込み制御装置、２００（２００Ａ、２００Ｂ、２００Ｃ）  工程管理装置、５００  火災感知器、Ａ、Ｂ、Ｃ  工程、ＰＡ、ＰＢ、ＰＣ  場所。
【図１】
2019008633.tif 000003
【図２】
2019008633.tif 000004
【図３】
2019008633.tif 000005
【図４】
2019008633.tif 000006